(57)【要約】【課題】風呂蓋の規則的な折り畳みを簡素な構造をもって実現する。【解決手段】長さ方向略中程の位置においてその蓋上面部３０に取っ手３１を備えると共に、蓋左端部３３及び蓋右端部３３のいずれか一方にウエイト部３２を備え、取っ手３１を利用して持ち上げることによりウエイト部３２の備えられた端部３３を移動させずにこれを備えない端部３３をこのウエイト部３２の備えられた端部３３に近づける二つ折り可能に構成されてなる。【選択図】図５
2011015720.tif 000002
【特許請求の範囲】
【請求項１】
長さ方向略中程の位置においてその蓋上面部に取っ手を備えると共に、蓋左端部及び蓋右端部のいずれか一方にウエイト部を備え、取っ手を利用して持ち上げることによりウエイト部の備えられた端部を移動させずにこれを備えない端部をこのウエイト部の備えられた端部に近づける二つ折り可能に構成されてなる風呂蓋。
【請求項２】
ウエイト部の備えられていない端部に補助取っ手を備えていることを特徴とする請求項１に記載の風呂蓋。
【請求項３】
浴室の壁面における請求項１又は請求項２に記載の風呂蓋におけるウエイト部の備えられた端部が配置される箇所の上方に位置される箇所に、この風呂蓋の取っ手を引っかけ可能とするフック部を備えさせてなることを特徴とする浴室構造。
【請求項４】
フック部と浴槽の上面との間の寸法が、二つ折りにされた風呂蓋の折った箇所から端部までの寸法よりも、大きくなるようにしてあることを特徴とする請求項３に記載の浴室構造。
【発明の詳細な説明】
【技術分野】
【０００１】
この発明は、展開状態で浴槽の開口を塞ぐと共に、この展開状態から規則的に折りたたむことができるように構成された風呂蓋、及びこれを利用してなる浴室構造に関する。
【背景技術】
【０００２】
浴槽蓋を折り畳み可能に構成すると共に、これを浴室壁に蝶番により止め付けたものがある。（特許文献１参照）しかるに、このような浴槽蓋は、既設の浴槽の浴槽蓋として単純に利用し難く、また、浴槽蓋と浴室壁との止め付け箇所近傍の掃除を行い難くする。
【０００３】
一方、二枚の蓋体をヒンジ部を介して連接させてなる風呂蓋の両端部にローラを付けて浴槽の開口を塞いだ展開状態から折りたためるように構成された風呂蓋がある。（特許文献２参照）しかるに、この風呂蓋は折り畳み時にローラのロックが必要であり、また、構造が複雑である。
【先行技術文献】
【特許文献】
【０００４】
【特許文献１】実開平５−２１７８７号公報
【特許文献２】特開２００８−２２８９７８号公報
【発明の概要】
【発明が解決しようとする課題】
【０００５】
この発明が解決しようとする主たる問題点は、この種の風呂蓋及びこれを備えた浴室構造において、かかる風呂蓋の規則的な折り畳みを簡素な構造をもって実現する点にある。
【課題を解決するための手段】
【０００６】
前記課題を達成するために、この発明にあっては、風呂蓋を、長さ方向略中程の位置においてその蓋上面部に取っ手を備えると共に、蓋左端部及び蓋右端部のいずれか一方にウエイト部を備え、取っ手を利用して持ち上げることによりウエイト部の備えられた端部を移動させずにこれを備えない端部をこのウエイト部の備えられた端部に近づける二つ折り可能に構成されてなるものとした。
【０００７】
展開されて浴槽の開口を閉塞した風呂蓋の取っ手を把持してその長さ方向略中程の位置を上方に持ち上げると、風呂蓋の蓋左端部及び蓋右端部のいずれか一方には前記ウエイト部があることから、このウエイト部の備えられている側は移動しがたく、したがってこのウエイト部の備えられていない側の端部が浴槽の開口縁部に摺接しながらウエイト部の備えられている端部側に徐々に近づくように移動され、最終的には両端部を共に浴槽の開口縁部のうちのウエイト部が配置されている箇所に位置させるようにして風呂蓋は二つ折りになり、浴槽は開放される。
【０００８】
前記ウエイト部の備えられていない端部に補助取っ手を備えさせておけば、この補助取っ手とを利用して、ウエイト部を浴槽の向かって左側あるいは右側の開口縁部に載置させた状態から、このウエイト部の備えられていない端部をかかるウエイト部の載置された開口縁部に対向する開口縁部まで移動させる風呂蓋の展開を容易に行なうことができる。
【０００９】
また、この発明にあっては、浴室構造を、浴室の壁面における前記風呂蓋におけるウエイト部の備えられた端部が配置される箇所の上方に位置される箇所に、この風呂蓋の取っ手を引っかけ可能とするフック部を備えさせてなるものとした。
【００１０】
かかる浴室構造にあっては、前記のように取っ手の設けられた箇所を中心に二つ折りにされて前記壁面の前記箇所側に纏められた風呂蓋を、その上方のフック部にこの取っ手を引っかけることで、見た目良く、かつ、邪魔にならない態様で、前記壁面の前記箇所側に吊り下げるようにして片づけておくことができる。再びかかる風呂蓋により浴槽の開口を塞ぐときは、取っ手をフック部から外しウエイト部をこのフック部直下の浴槽の開口縁部に載置させた状態から、このウエイト部の備えられていない端部をかかるウエイト部の載置された開口縁部に対向する開口縁部まで移動させて、風呂蓋を展開させる。
【００１１】
かかるフック部と浴槽の上面との間の寸法が、二つ折りにされた風呂蓋の折った箇所から端部までの寸法よりも、大きくなるようにしておけば、風呂蓋を前記吊り下げるようにして片づけた状態においてこの風呂蓋の端部とその直下の浴槽の開口縁部との間には間隔が形成され、この状態において浴槽側の掃除などを普通に行うことができる。
【発明の効果】
【００１２】
この発明にかかる風呂蓋によれば、かかる風呂蓋の規則的な折り畳みをこれにウエイト部を設けることで簡素且つ適切に実現することができる。また、この折り畳みを、取っ手を利用して容易に、特に片手でなすことができる。また、かかる風呂蓋は浴室側に格別の加工を施すことなく利用することができる。
【００１３】
また、この発明にかかる浴室構造によれば、二つ折りにした風呂蓋を、この二つ折りが済んだ位置の上方において、見た目良く、かつ、邪魔にならない態様で、浴室の壁面に吊り下げるようにして片づけておくことができる。
【図面の簡単な説明】
【００１４】
【図１】図１は風呂蓋の平面図である。
【図２】図２は風呂蓋の正面図である。
【図３】図３は風呂蓋のウエイト部の備えられた端部側の断面構成図である。
【図４】図４は風呂蓋により浴槽の開口を塞いだ状態の斜視図である。
【図５】図５は図４の状態から風呂蓋を折りたたんで浴槽の開口を開放させた状態の斜視図である。
【図６】図６は折りたたんだ風呂蓋を浴室の壁面に吊り下げるようにして片づけた状態の斜視図である。
【発明を実施するための形態】
【００１５】
以下、図１〜図６に基づいて、この発明の典型的な実施の形態について、説明する。この実施の形態にかかる風呂蓋３は、展開状態で浴槽１の開口１ａを塞ぐと共に、この展開状態から規則的に折りたたむことができるように構成されている。かかる風呂蓋３のこの折り畳みにより浴槽１の開口１ａは開放される。この実施の形態にかかる風呂蓋３にあっては、簡素な構造をもってかかる規則的な折り畳みをなし得ると共に、このために浴槽１側や浴室２内に格別の加工などを必要としない特長を有している。
【００１６】
かかる風呂蓋３は、長さと幅とを備えてなる。すなわち、かかる風呂蓋３は、平面視の状態において、略長方形状をなすように構成される。（図１）また、かかる風呂蓋３は、その長さ方向略中程の位置においてその蓋上面部３０に取っ手３１を備えると共に、蓋左端部３３及び蓋右端部３３のいずれか一方にウエイト部３２を備えている。そして、かかる風呂蓋３は、浴槽１の開口１ａを塞いだ展開状態から（図４）前記取っ手３１を利用してその長さ方向略中程の位置を持ち上げることによりウエイト部３２の備えられた端部３３を移動させずにこれを備えない端部３３をこのウエイト部３２の備えられた端部３３に近づける二つ折り可能に構成されている。（図５）そして、かかる風呂蓋３は、このように二つ折りにされることで、浴槽１の開口１ａを開放するようになっている。二つ折りにされた風呂蓋３は、図示の例では、後述するフック部２ｂを利用して、浴室２の壁面２ａに吊り下げて片づけられるようになっている。（図６）
【００１７】
図示の例では、かかる風呂蓋３は、いわゆるシャッター式の風呂蓋３として構成されている。すなわち、図示の例では、構成される風呂蓋３の幅寸法に等しい長さを備えた複数の棒材３４、３４…を、隣り合う棒材３４との間に間隔を開けて並列状態に配すると共に、このように配された複数の棒材３４、３４…の外面を合成樹脂製のシート３５により被覆するようにして風呂蓋３の主体部を構成させている。かかるシート３５は隣り合う棒材３４間においてシート３５同士が固着されており、風呂蓋３はこの隣り合う棒材３４間の箇所を屈曲させてロール状に纏めることができるようになっている。図示の例ではかかる複数の棒材３４、３４…は中空体として構成されている。また、図示の例では、かかる複数の棒材３４、３４…のうち、図１における風呂蓋３の蓋左端部３３に位置される棒材３４は内部空所内にウエイト材３６が納められており、この棒材３４は中実体状を呈している。そして、図示の例では、かかる中実体状を呈する棒材３４によって、風呂蓋３の蓋左端部３３に前記ウエイト部３２が形成されている。かかるウエイト材３６としては、金属を用いることができる。かかるウエイト部３２は、前記取っ手３１を利用した風呂蓋３の持ち上げ時にこのウエイト部３２の形成側の風呂蓋３の端部３３を移動させないようにする重量をこの端部３３に付与するものであれば足り、例えば図示の例とは別に、図１における風呂蓋３の蓋左端部３３に位置される棒材３４を他の棒材３４より重い材料により構成するようにしても良い。
【００１８】
また、図示の例では、風呂蓋３の長さ方向略中程の位置、つまり、左右方向略中程の位置において、この位置にある棒材３４を利用して、蓋上面部３０に前記取っ手３１が備え付けられている。図示の例では、把持部３１ａの両端にこの端から下方に突き出す脚部３１ｂを備えた取っ手３１のこの両端の脚部３１ｂをそれぞれ、前記シート３５上から前記位置にある棒材３４の長さ方向略中程の位置に固着させることで、風呂蓋３の蓋上面部３０の略中央部にかかる取っ手３１を備えさせている。かかる取っ手３１はその把持部３１ａを前記位置にある棒材３４に沿わせるようにして備えられている。
【００１９】
展開されて浴槽１の開口１ａを閉塞した風呂蓋３（図４）の取っ手３１を把持してその長さ方向略中程の位置を上方に持ち上げると、風呂蓋３の蓋左端部３３及び蓋右端部３３のいずれか一方には前記ウエイト部３２があることから、このウエイト部３２の備えられている側は移動しがたく、したがってこのウエイト部３２の備えられていない側の端部３３が浴槽１の開口縁部１ｂに摺接しながらウエイト部３２の備えられている端部３３側に徐々に近づくように移動され、最終的には両端部３３を共に浴槽１の開口縁部１ｂのうちのウエイト部３２が配置されている箇所に位置させるようにして風呂蓋３は二つ折りになり、浴槽１は開放される。
【００２０】
また、この実施の形態にあっては、浴室２の壁面２ａにおけるかかる風呂蓋３におけるウエイト部３２の備えられた端部３３が配置される箇所の上方に位置される箇所に、この風呂蓋３の取っ手３１を引っかけ可能とするフック部２ｂを備えさせて、浴室２を構成させている。
【００２１】
かかるフック部２ｂは、図示の例では、壁面２ａに添装固着される座板２ｃの表面に上方に突き出すように形成されている。
【００２２】
これによりこの実施の形態にあっては、前記のように取っ手３１の設けられた箇所を中心に二つ折りにされて前記壁面２ａの前記箇所側に纏められた風呂蓋３を、その上方のフック部２ｂにこの取っ手３１を引っかけることで、見た目良く、かつ、邪魔にならない態様で、前記壁面２ａの前記箇所側に吊り下げるようにして片づけておくことができる。再びかかる風呂蓋３により浴槽１の開口１ａを塞ぐときは、取っ手３１をフック部２ｂから外しウエイト部３２をこのフック部２ｂ直下の浴槽１の開口縁部１ｂに載置させた状態から、このウエイト部３２の備えられていない端部３３（図１においては蓋右端部３３）をかかるウエイト部３２の載置された開口縁部１ｂに対向する開口縁部１ｂまで移動させて、風呂蓋３を展開させる。
【００２３】
この実施の形態にあっては、風呂蓋３におけるかかるウエイト部３２の備えられていない端部３３に補助取っ手３７が備えられており、この補助取っ手３７とを利用して、ウエイト部３２を浴槽１の向かって左側あるいは右側の開口縁部１ｂに載置させた状態から、このウエイト部３２の備えられていない端部３３をかかるウエイト部３２の載置された開口縁部１ｂに対向する開口縁部１ｂまで移動させる風呂蓋３の展開を容易に行えるようにしてある。
【００２４】
図示の例では、かかる補助取っ手３７は、把持部３７ａの両端にこの端から側方に突き出す脚部３７ｂを備えた補助取っ手３７のこの両端の脚部３７ｂをそれぞれ、前記シート３５上からウエイト部３２の備えられていない端部３３を構成する棒材３４の長さ方向略中程の位置においてその側部に固着させることで、このウエイト部３２の備えられていない端部３３から側方に突き出すようにして備えられている。
【００２５】
また、この実施の形態にあっては、前記フック部２ｂと浴槽１の上面との間の寸法が、二つ折りにされた風呂蓋３の折った箇所から端部３３までの寸法よりも、大きくなるようにしてある。（図６）これにより、風呂蓋３を前記吊り下げるようにして片づけた状態においてこの風呂蓋３の端部３３とその直下の浴槽１の開口縁部１ｂとの間には間隔ｘが形成され、この状態において浴槽１側の掃除などを普通に行えるようになっている。
【００２６】
風呂蓋３の主体部は、ヒンジにより互いに連接された二枚以上の板体から構成させても良い。この場合にも、その長さ方向略中程の位置に取っ手３１を設け、その蓋左端部３３及び蓋右端部３３のいずれか一方にウエイト部３２を設けさせておく。
【符号の説明】
【００２７】
３  風呂蓋
３０  蓋上面部
３１  取っ手
３２  ウエイト部
３３  端部
【図１】
2011015720.tif 000003
【図２】
2011015720.tif 000004
【図３】
2011015720.tif 000005
【図４】
2011015720.tif 000006
【図５】
2011015720.tif 000007
【図６】
2011015720.tif 000008